(57)【要約】【課題】排出された尿や経血等の体液を、素早く吸収体に移行させる吸収性能とともに、端部において他の機能も有するものとする。【解決手段】  繊維集合体からなる第１シート（トップシート）３０と、この第１シート（トップシート）３０と対向し繊維集合体からなる第２シート（中間シート）４０とを有する。これらの使用面側シートを通して、体液を吸収性要素５０に移行させ、そこで吸収体５６吸収させる。吸収性物品が使い捨ておむつであるとき、水様便等が開口４２を透過でき、水溶便等Ｓの水分を吸収要素側５０に移行させ、その固形分については吸収要素の表面部分に留めるようにする。【選択図】図１３
2015177901.tif 000002
【特許請求の範囲】
【請求項１】
使用面側に位置する繊維集合体からなる第１シートと、この第１シートと対向し繊維集合体からなる第２シートとを有する使用面側シートを通る、体液を吸収性要素で吸収する吸収性物品において、前記第２シートの製品の前後方向両端の少なくとも一方の端部に、横方向に沿うスリットの開口が分散状態で多数形成され、前記第２シートの製品の前後方向中間部はスリットが形成されておらず、
前記第１シートは、前記第２シートと、散在する接合部によって接合されていることを特徴とする吸収性物品。
【請求項２】
前記第１シートは前記接合部をつなぐ部分が使用面側に隆起している隆起部を有する請求項１記載の吸収性物品。
【請求項３】
周面に凸部を有する凸ロールと、この凸ロールに対向し、前記凸部に対応する凹部を有する凹ロールと、この凹ロールに対向する重合ロールとを有する設備によって、
（１）前記凸ロールと前記凹ロールとの間に第１シート素材が通され、第１シート素材に、前記凸部が前記凹部側に入り込むことにより、隆起部が形成された第１素材シート３を得て、
（２）この凸部形成段階より後段階で、素材の幅方向に沿うスリットの形成領域がシート長さ方向に間隔を置いて形成された第２シート素材が、前記第１シート素材と、散在する接合部によって接合され、
前記使用面側シートが形成される請求項２記載の吸収性物品。
【発明の詳細な説明】
【技術分野】
【０００１】
本発明は、使い捨ておむつ、これと組み合せて使用するパッド、生理用ナプキンを含む吸収性物品に関するものである。
【背景技術】
【０００２】
たとえば、この種の吸収性物品における表面材シートには、排出された尿や経血等の体液を、素早く吸収体に移行させる吸収性能や、着用者の肌に当接する面が柔軟で、肌に与える刺激が少ないという表面特性が要求される。
【０００３】
従来、吸収性物品用の表面シートとして、各種製法による不織布や、それに２次加工として穿孔を施したもの、ポリエチレン等の合成樹脂からなる有孔フィルム等が用いられている。
【０００４】
しかし、近年においては、前記表面特性を十分なものとするために、トップシート単独ではなく、いわゆるトップシートの下方にセカンドシートを設け、このセカンドシートに体液を素早く吸収体に移行させる機能をもたせることが多用されている。
その発想を、さらに進め、スリットを形成した提案もなされている（特許文献１及び２参照）。
【先行技術文献】
【特許文献】
【０００５】
【特許文献１】特許第３９９８６２６号（特開２００５−１２４８５４号）公報
【特許文献２】特許第３８８６４００号（特開２００９−６００２号）公報
【発明の概要】
【発明が解決しようとする課題】
【０００６】
しかるに、各先行技術のおけるスリットを形成した使用面側シートでは、トップシート及びセカンドシートは、一様であることが前提となっていたため、単機能な使用面側シートであると評価せざるを得ないものである。
【０００７】
そこで、本発明の主たる課題は、排出された尿や経血等の体液を、素早く吸収体に移行させる吸収性能とともに、端部において他の機能も有する吸収性物品を提供することにある。
【課題を解決するための手段】
【０００８】
上記課題を解決した本発明は次記のとおりである。
＜請求項１記載の発明＞
使用面側に位置する繊維集合体からなる第１シートと、この第１シートと対向し繊維集合体からなる第２シートとを有する使用面側シートを通る、体液を吸収性要素で吸収する吸収性物品において、前記第２シートの製品の前後方向両端の少なくとも一方の端部に、横方向に沿うスリットの開口が分散状態で多数形成され、前記第２シートの製品の前後方向中間部はスリットが形成されておらず、
前記第１シートは、前記第２シートと、散在する接合部によって接合されていることを特徴とする吸収性物品。
【０００９】
（作用効果）
本発明では、使用面側に位置する繊維集合体からなる第１シートと、この第１シートと対向し繊維集合体からなる第２シートとを有する使用面側シートを通して、体液を吸収性要素に移行させ、そこで吸収するようにしたから、第１シートに受け入れた体液を、第２シートを介して、素早く吸収体に移行させて吸収させる性能を発揮する。
前記第２シートの製品の前後方向両端の少なくとも一方の端部に、横方向に沿うスリットの開口が分散状態で多数形成されている。
その結果、第２シートの端部においては、粘性の高い体液であっても、第２シートの開口を通すことができるので、多様な体液の吸収が可能となる。たとえば、吸収性物品が使い捨ておむつであるとき、水様便及び軟便（以下「水様便等」という。）が前記開口を透過でき、水溶便等の水分を吸収要素側に移行させ、その固形分については吸収要素の表面部分に留めるようにでき、もって、水様便等があった場合においても、その端部側からの漏れを防止できる。
【００１０】
＜請求項２記載の発明＞
前記第１シートは前記接合部をつなぐ部分が使用面側に隆起している請求項１記載の吸収性物品。
【００１１】
（作用効果）
第１シートは、接合部をつなぐ部分が使用面側に隆起していると、着用者の肌に当接する面が柔軟で、肌に与える刺激が少ないという表面特性が得られる。また、吸収要素及び第２シート側からの逆戻りを防止でき、カブレを抑制できる。
【００１２】
＜請求項３記載の発明＞
周面に凸部を有する凸ロールと、この凸ロールに対向し、前記凸部に対応する凹部を有する凹ロールと、この凹ロールに対向する重合ロールとを有する設備によって、
（１）前記凸ロールと前記凹ロールとの間に第１シート素材が通され、第１シート素材に、前記凸部が前記凹部側に入り込むことにより、隆起部が形成された第１素材シート３を得て、
（２）この凸部形成段階より後段階で、素材の幅方向に沿うスリットの形成領域がシート長さ方向に間隔を置いて形成された第２シート素材が、前記第１シート素材と、散在する接合部によって接合され、
前記使用面側シートが形成される請求項２記載の吸収性物品。
ここで、「凹部」の技術的意義は、「前記凸部が凹部側に入り込むことにより、隆起部が形成され」というものであるから、隆起部が形成される限り、凸部が入り込む大きさの、底面がない「開孔」でもよく、本請求項記載の発明における「凹部」は、かかる「開孔」も含む意味である。
【００１３】
（作用効果）
上記の製造形態において、第２シート素材を第１シート素材と接合する前に、ライン方向に伸張した状態で供給すると、第２シート素材が、元の素材状態からライン方向に伸長した状態になる。その結果、スリットが開口し、開口が形成されながら又は開口が形成された状態で接合が行われる。
ここで、第２シート素材が、元の素材状態からライン方向に伸長した状態になることは、製品化状態での第１シートの必要長さに対して、第２シート素材としては伸長後の長さでよいことになるから、必要な第２シート素材の長さが短くなることを意味することになり、資材コストの低減を図ることができる。
【発明の効果】
【００１４】
以上のとおり、本発明によれば、排出された尿や経血等の体液を、素早く吸収体に移行させる吸収性能とともに、端部において他の機能も有するものとなる。
【図面の簡単な説明】
【００１５】
【図１】テープタイプ使い捨ておむつの内面を示す、おむつを展開した状態における平面図である。
【図２】テープタイプ使い捨ておむつの外面を示す、おむつを展開した状態における平面図である。
【図３】図１の３−３線矢視断面図である。
【図４】図１の４−４線矢視横断面図である。
【図５】中間シート例の平面図である。
【図６】表面側シートの加工例の概要を示す説明図である。
【図７】中間シートの加工後の説明用平面図である。
【図８】中間シートの加工前と加工後の説明用平面図である。
【図９】接合部の配置例の平面図である。
【図１０】中間シートの加工後における他の例の説明用平面図である。
【図１１】中間シートの加工後における別の例の説明用平面図である。
【図１２】接合部の他の例の平面図である。
【図１３】表面側シートの機能説明用概要断面図である。
【図１４】中間シートのスリットの他の例の一部平面図である。
【発明を実施するための形態】
【００１６】
以下、本発明の実施形態について添付図面を参照しつつ説明する。
図１〜図４はテープタイプ使い捨ておむつの一例を示しており、断面図中の点模様部分はホットメルト接着剤の塗布部分を示している。
【００１７】
＜用語の説明＞
本発明における、用語「前後方向（縦方向）」とは腹側（前側）と背側（後側）を結ぶ方向を意味し、「幅方向」とは前後方向と直交する方向（左右方向）を意味し、「使用面」は、体液を直接受けて、吸収性要素に受け渡す側をいう。
また、用語「伸長率」は自然長を１００％としたときの値を意味する。
「目付け」は次のようにして測定されるものである。試料又は試験片を予備乾燥した後、標準状態（試験場所は、温度２０±５℃、相対湿度６５％以下）の試験室又は装置内に放置し、恒量になった状態にする。予備乾燥は、試料又は試験片を相対湿度１０〜２５％、温度５０℃を超えない環境で恒量にすることをいう。なお、公定水分率が０．０％の繊維については、予備乾燥を行わなくてもよい。恒量になった状態の試験片から米坪板(２００ｍｍ×２５０ｍｍ、±２ｍｍ)を使用し、２００ｍｍ×２５０ｍｍ（±２ｍｍ）の寸法の試料を切り取る。試料の重量を測定し、２０倍して１平米あたりの重さを算出し、目付けとする。
「厚み」は、自動厚み測定器（ＫＥＳ−Ｇ５  ハンディ圧縮計測プログラム）を用い、荷重：１０ｇｆ／ｃｍ2、及び加圧面積：２ｃｍ2の条件下で自動測定する。
【００１８】
本発明は、使い捨ておむつに好適に適用できるが、その使い捨ておむつとしてテープタイプ使い捨ておむつであっても、いわゆるパンツ型使い捨ておむつであってもよい。
【００１９】
以下では、テープタイプ使い捨ておむつの例を挙示して本発明を説明するが、パンツ型使い捨ておむつや生理用ナプキン、パッドなどにおいても、同様の構造を採ることは以下の説明から判るであろう。
【００２０】
本発明例のテープタイプ使い捨ておむつでは、使用面側に位置する透液性シート３０を通る体液を吸収性要素５０で吸収するものである。
すなわち、製品の幅方向中央に沿って下腹部から股間部を通り臀部までを覆うように延在する部分であって、使用面側表面を形成する透液性トップシート３０と、裏面側に位置する液不透過性シート１１との間に吸収要素５０が介在する領域である吸収性本体部１０と、この吸収性本体部１０の前側及び後側にそれぞれ延出する部分であって、且つ吸収要素５０を有しない部分である腹側エンドフラップ部ＥＦ及び背側エンドフラップ部ＥＦとを有するものである。
【００２１】
また、このテープタイプ使い捨ておむつは、吸収性本体部１０の側縁よりも側方に延出する一対のサイドフラップ部ＳＦ，ＳＦを有しており、背側におけるサイドフラップ部ＳＦ，ＳＦにはファスニングテープ１３，１３がそれぞれ設けられている。
【００２２】
より詳細には、吸収性本体部１０ならびに各サイドフラップ部ＳＦ，ＳＦの外面全体が、製品の外形を定める外装バックシート１２により形成されている。特に、吸収性本体部１０においては、外装バックシート１２の内面側に液不透過性シート１１がホットメルト接着剤等の接着剤により固定され、さらにこの液不透過性シート１１の内面側に吸収要素５０、中間シート４０、および透液性トップシート３０がこの順に積層されている。透液性トップシート３０および液不透過性シート１１は図示例では長方形であり、吸収要素５０よりも前後方向および幅方向において若干大きい寸法を有しており、トップシート３０における吸収要素５０の側縁より食み出る周縁部と、液不透過性シート１１における吸収要素５０の側縁より食み出る周縁部とがホットメルト接着剤などにより固着されている。また液不透過性シート１１は透湿性のポリエチレンフィルム等からなり、トップシート３０よりも若干幅広に形成されている。
【００２３】
さらに、この吸収性本体部１０の両側には、装着者の肌側に突出（起立）する側部立体ギャザー６０，６０が設けられており、この側部立体ギャザー６０，６０を形成するギャザーシート６２，６２が、トップシート３０の両側部上から各サイドフラップ部ＳＦ，ＳＦの内面までの範囲に固着されている。
【００２４】
以下、各部の素材および特徴部分について順に説明する。
（外装バックシート）
外装バックシート１２は吸収要素５０を支持し、着用者に装着するための部分である。外装バックシート１２は、両側部の前後方向中央部が括れた砂時計形状とされており、ここが着用者の脚を囲む部位となる。
【００２５】
外装バックシート１２としては不織布が好適であるが、これに限定されない。不織布の種類は特に限定されず、素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維を用いることができ、加工法としてはスパンレース法、スパンボンド法、サーマルボンド法、エアスルー法、ニードルパンチ法等を用いることができる。ただし、肌触り及び強度を両立できる点でスパンボンド不織布やＳＭＳ不織布、ＳＭＭＳ不織布等の長繊維不織布が好適である。不織布は一枚で使用する他、複数枚重ねて使用することもできる。後者の場合、不織布相互をホットメルト接着剤等により接着するのが好ましい。不織布を用いる場合、その繊維目付けは１０〜５０ｇ／ｍ2、特に１５〜３０ｇ／ｍ2のものが望ましい。
【００２６】
（液不透過性シート）
液不透過性シート１１の素材は、特に限定されるものではないが、例えば、ポリエチレンやポリプロピレン等のオレフィン系樹脂や、ポリエチレンシート等に不織布を積層したラミネート不織布、防水フィルムを介在させて実質的に液不透過性を確保した不織布（この場合は、防水フィルムと不織布とで液不透過性シートが構成される。）などを例示することができる。もちろん、このほかにも、近年、ムレ防止の観点から好まれて使用されている液不透過性かつ透湿性を有する素材も例示することができる。この液不透過性かつ透湿性を有する素材のシートとしては、例えば、ポリエチレンやポリプロピレン等のオレフィン系樹脂中に無機充填剤を混練して、シートを成形した後、一軸又は二軸方向に延伸して得られた微多孔性シートを例示することができる。さらに、マイクロデニール繊維を用いた不織布、熱や圧力をかけることで繊維の空隙を小さくすることによる防漏性強化、高吸水性樹脂または疎水性樹脂や撥水剤の塗工といった方法により、防水フィルムを用いずに液不透過性としたシートも、液不透過性シート１１として用いることができる。
【００２７】
（トップシート）
トップシート３０は液透過性を有するものであれば足り、例えば、有孔又は無孔の不織布や、多孔性プラスチックシートなどを用いることができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンレース法が、嵩高性、ソフト性を求めるのであれば、サーマルボンド法が、好ましい加工方法となる。
【００２８】
また、トップシート３０は、１枚のシートからなるものであっても、２枚以上のシートを貼り合せて得た積層シートからなるものであってもよい。同様に、トップシート３０は、平面方向に関して、１枚のシートからなるものであっても、２枚以上のシートからなるものであってもよい。
【００２９】
（中間シート）
トップシート３０を透過した排泄物を吸収体へ移動させ、逆戻りを防ぐために、トップシート３０と吸収要素５０との間に中間シート（セカンドシートもいわれる）４０を設けることができる。この中間シート４０は、排泄物を速やかに吸収体へ移行させて吸収体による吸収性能を高めるばかりでなく、吸収した排泄物の吸収体からの逆戻りを防止し、トップシート３０表面の肌触りを良くするものである。中間シート４０は省略することもできる。
【００３０】
中間シート４０としては、トップシート３０と同様の素材を用いることができる。中間シート４０はトップシート３０に接合するのが好ましく、その接合にヒートエンボスや超音波溶着を用いる場合は、中間シート４０の素材はトップシート３０と同程度の融点をもつものが好ましい。また、便中の固形分を透過させることを考慮するならば中間シート４０に用いる繊維の繊度は５．０〜７．０ｄｔｅｘであるのが好ましいが、トップシート３０における液残りが多くなる。これに対して、中間シート４０に用いる繊維の繊度が１．０〜２．０ｄｔｅｘであると、トップシート３０の液残りは発生し難いが、便の固形分が透過し難くなる。よって、中間シート４０に用いる不織布の繊維は繊度が２．０〜５．０ｄｔｅｘ程度とするのが好ましい。
【００３１】
図示の形態の中間シート４０は、吸収要素５０の幅より短く中央に配置されているが、全幅にわたって設けてもよい。中間シート４０の前後方向長さは、おむつの全長と同一であるのが好ましい。
【００３２】
（立体ギャザー）
トップシート３０上を伝わって横方向に移動する尿や軟便を阻止し、横漏れを防止するために、製品の両側に、使用面側に突出（起立）する側部立体ギャザー６０、６０を設けるのは好ましい。
【００３３】
この側部立体ギャザー６０は、実質的に幅方向に連続するギャザーシート６２と、このギャザーシート６２に前後方向に沿って伸長状態で固定された弾性伸縮部材６３とにより構成されている。このギャザーシート６２としては撥水性でかつ通気性の不織布を用いることができ、また弾性伸縮部材６３としては糸ゴム等を用いることができる。弾性伸縮部材は、図１及び図２に示すように各複数本設ける他、各１本設けることでもよい。
【００３４】
ギャザーシート６２の内面は、トップシート３０の側部上に幅方向の固着始端を有し、この固着始端から幅方向外側の部分は、液不透過性シート１１の側部およびその幅方向外側に位置する外装バックシート１２の側部にホットメルト接着剤などにより固着されている。
【００３５】
脚周りにおいては、側部立体ギャザー６０の固着始端より幅方向内側は、製品前後方向両端部ではトップシート３０上に固定されているものの、その間の部分は非固定の自由部分であり、この自由部分が弾性伸縮部材６３の収縮力により起立するようになる。おむつの、装着時には、おむつが舟形に体に装着されるので、そして弾性伸縮部材６３の収縮力が作用するので、弾性伸縮部材６３の収縮力により側部立体ギャザー６０が起立して脚周りに密着する。その結果、脚周りからのいわゆる横漏れが防止される。
【００３６】
（平面ギャザー）
各サイドフラップ部ＳＦ，ＳＦには、ギャザーシート６２の固着部分のうち固着始端近傍の幅方向外側において、ギャザーシート６２と液不透過性シート１１との間に、糸ゴム等からなる脚周り弾性伸縮部材６４が前後方向に沿って伸長された状態で固定されており、これにより各サイドフラップ部ＳＦ，ＳＦの脚周り部分が平面ギャザーとして構成されている。脚周り弾性伸縮部材６４はサイドフラップ部ＳＦにおける液不透過性シート１１と外装バックシート１２との間に配置することもできる。脚周り弾性伸縮部材６４は、図示例のように各側で複数本設ける他、各側に１本のみ設けることもできる。
【００３７】
（吸収要素）
吸収要素５０は、尿や軟便などの液を吸収保持する部分である。吸収要素５０は、フラッフパルプを主体とする吸収体５６と、この吸収体５６の少なくとも裏面及び側面を包む包装シート５８とを有している。包装シート５８は省略することもできる。吸収要素５０は、その裏面においてホットメルト接着剤等の接着剤を介して液不透過性シート１１の内面に接着することができる。
【００３８】
（吸収体）
吸収体５６は、フラッフパルプを主体とするほか、繊維の集合体により形成することもできる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、１インチ当たり５〜７５個、好ましくは１０〜５０個、さらに好ましくは１５〜５０個程度とすることができる。また、均一に捲縮した捲縮繊維を用いる場合が多い。
【００３９】
（高吸収性ポリマー粒子）
吸収体５６は、高吸収性ポリマー粒子を含むのが好ましく、特に、少なくとも液受け入れ領域において、繊維の集合体に対して高吸収性ポリマー粒子（ＳＡＰ粒子）が実質的に厚み方向全体に分散されているものが望ましい。
【００４０】
吸収体５６の上部、下部、及び中間部にＳＡＰ粒子が無い、あるいはあってもごく僅かである場合には、「厚み方向全体に分散されている」とは言えない。したがって、「厚み方向全体に分散されている」とは、繊維の集合体に対し、厚み方向全体に「均一に」分散されている形態のほか、上部、下部及び又は中間部に「偏在している」が、依然として上部、下部及び中間部の各部分に分散している形態も含まれる。また、一部のＳＡＰ粒子が繊維の集合体中に侵入しないでその表面に残存している形態や、一部のＳＡＰ粒子が繊維の集合体を通り抜けて包装シート５８上にある形態も排除されるものではない。
【００４１】
高吸収性ポリマー粒子とは、「粒子」以外に「粉体」も含む。高吸収性ポリマー粒子の粒径は、この種の吸収性物品に使用されるものをそのまま使用でき、１０００μｍ以下、特に１５０〜４００μｍのものが望ましい。高吸収性ポリマー粒子の材料としては、特に限定無く用いることができるが、吸水量が４０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
【００４２】
高吸収性ポリマー粒子としては、吸水速度が４０秒以下のものが好適に用いられる。吸水速度が４０秒を超えると、吸収体５６内に供給された液が吸収体５６外に戻り出てしまう所謂逆戻りを発生し易くなる。
【００４３】
高吸収性ポリマー粒子の目付け量は、当該吸収体５６の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和するばかりでなく、高吸収性ポリマー粒子の過剰によりジャリジャリした違和感を与えるようになる。
【００４４】
（包装シート）
包装シート５８を用いる場合、その素材としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＭＳ（スパンボンド／メルトブローン／メルトブローン／スパンボンド）不織布が特に好適であり、その材質はポリプロピレン、ポリエチレン／ポリプロピレンなどを使用できる。繊維目付けは、５〜４０ｇ／ｍ2、特に１０〜３０ｇ／ｍ2のものが望ましい。
【００４５】
この包装シート５８は、図３に示すように、吸収体５６の全体を包む形態のほか、その層の裏面及び側面のみを包装するものでもよい。また図示しないが、吸収体５６の上面及び側面のみをクレープ紙や不織布で覆い、下面をポリエチレンなどの液不透過性シートで覆う形態、吸収体５６の上面をクレープ紙や不織布で覆い、側面及び下面をポリエチレンなどの液不透過性シートで覆う形態などでもよい（これらの各素材が包装シートの構成要素となる）。必要ならば、吸収体５６を、上下２層のシートで挟む形態や下面のみに配置する形態でもよいが、高吸収性ポリマー粒子の移動を防止でき難いので望ましい形態ではない。
【００４６】
（ファスニングテープ）
図１及び図２に示されるように、ファスニングテープ１３は、おむつの側部に固定されたテープ取付部１３Ｃ、及びこのテープ取付部１３Ｃから突出するテープ本体部１３Ｂをなすシート基材と、このシート基材におけるテープ本体部１３Ｂの幅方向中間部に設けられた、腹側に対する係止部１３Ａとを有し、この係止部１３Ａより先端側が摘み部とされたものである。ファスニングテープ１３のテープ取付部１３Ｃは、サイドフラップ部における内側層をなすギャザーシート６２及び外側層をなす外装バックシート１２間に挟まれ、かつホットメルト接着剤により両シート６２，１２に接着されている。また、係止部１３Ａはシート基材に接着剤により剥離不能に接合されている。
【００４７】
乳幼児用おむつにおいては、テープ取付部１３Ｃの寸法のうち、おむつの幅方向の長さは１０〜５０ｍｍ、特に２０〜４０ｍｍであるのが好ましく、前後方向長さは、２０〜１００ｍｍ、特に４０〜８０ｍｍであるのが好ましい。また、テープ本体部１３Ｂの寸法のうち、おむつの幅方向の長さは３０〜８０ｍｍ、特に４０〜６０ｍｍであるのが好ましく、前後方向の長さ（高さ）は２０〜７０ｍｍ、特に２５〜５０ｍｍであるのが好ましい。なお、ファスニングテープ１３の一部または全部が例えば略テーパ形状をなし、前後方向長さや幅方向長さが一定でない場合は、上記数値範囲は平均値にて定める。ファスニングテープ１３の形状は、矩形形状などの左右対称形状でもよいが、幅広の取り付け部分と細長状の先端側部分からなる凸型形状であると、先端側部分の摘み部が摘みやすく、かつ左右の取付部間の張力が広範囲に作用するため、好ましい。
【００４８】
係止部１３Ａとしては、メカニカルファスナー（面ファスナー）のフック材（雄材）が好適である。フック材は、その外面側に多数の係合突起を有する。係合突起の形状としては、（Ａ）レ字状、（Ｂ）Ｊ字状、（Ｃ）マッシュルーム状、（Ｄ）Ｔ字状、（Ｅ）ダブルＪ字状（Ｊ字状のものを背合わせに結合した形状のもの）等が存在するが、いずれの形状であっても良い。もちろん、ファスニングテープ１３の係止部として粘着材層を設けることもできる。
【００４９】
また、テープ取付部からテープ本体部までを形成するシート基材としては、不織布、プラスチックフィルム、ポリラミ不織布、紙やこれらの複合素材を用いることができるが、繊度１．０〜３．５ｄｔｅｘ、目付け２０〜１００ｇ／ｍ2、厚み１ｍｍ以下のスパンボンド不織布、エアスルー不織布、又はスパンレース不織布が好ましい。
【００５０】
おむつの装着に際しては、背側のサイドフラップ部ＳＦを腹側のサイドフラップ部ＳＦの外側に重ねた状態で、ファスニングテープを腹側Ｆ外面の適所に係止する。ファスニングテープ１３の係止箇所の位置及び寸法は任意に定めることができる。乳幼児用おむつにおいては、係止箇所は、前後方向２０〜８０ｍｍ、幅方向１５０〜３００ｍｍの矩形範囲とし、その上端縁と腹側上縁との高さ方向離間距離を０〜６０ｍｍ、特に２０〜５０ｍｍとし、かつ製品の幅方向中央とするのが好ましい。
【００５１】
ファスニングテープ１３は、背側のエンドフラップ部ＥＦと吸収要素５０の境界線上にファスニングテープ１３のテープ取付部１３Ｃが重なるように取り付けられていると、おむつ装着時に左右のファスニングテープ１３の取り付け部分間に働く張力により、吸収要素５０の背側端部がしっかりと体に押し当てられるため、好ましい。また、ファスニングテープ１３の取り付け部分が、おむつの背側端部（後端部）と離れすぎていると、おむつ装着時に左右のファスニングテープ１３のテープ取付部１３Ｃ間に働く張力がおむつの背側端部にまで及ばないため、おむつの背側端部と身体表面との間に隙間が生じやすい。従って、背側のエンドフラップ部ＥＦの前後方向長さは、ファスニングテープ１３のテープ取付部１３Ｃの前後方向長さと同じか又は短いことが好ましい。
【００５２】
（ターゲットシート）
腹側Ｆにおけるファスニングテープ１３の係止箇所には、係止を容易にするためのターゲット有するターゲットシート１２Ｔを設けるのが好ましい。ターゲットシート１２Ｔは、係止部がフック材１３Ａの場合、フック材の係合突起が絡まるようなループ糸がプラスチックフィルムや不織布からなるシート基材の表面に多数設けられたものを用いることができ、また粘着材層の場合には粘着性に富むような表面が平滑なプラスチックフィルムからなるシート基材の表面に剥離処理を施したものを用いることができる。  また、腹側Ｆにおけるファスニングテープ１３の係止箇所が不織布からなる場合、例えば図示形態の外装バックシート１２が不織布からなる場合であって、ファスニングテープ１３の係止部がフック材１３Ａの場合には、ターゲットシート１２Ｔを省略し、フック材１３Ａを外装バックシート１２の不織布に絡ませて係止することもできる。この場合、ターゲットシート１２Ｔを外装バックシート１２と液不透過性シート１１との間に設けてもよい。
【００５３】
（エンドフラップ部）
エンドフラップ部は、吸収性本体部１０の前側及び後側にそれぞれ延出する部分であって、且つ吸収要素５０を有しない部分であり、前側の延出部分が腹側エンドフラップ部ＥＦであり、後側の延出部分が背側エンドフラップ部ＥＦである。
【００５４】
背側エンドフラップＥＦの前後方向長さは、前述の理由によりファスニングテープ１３の取り付け部分の前後方向長さと同じか短い寸法とすることが好ましく、また、おむつ背側端部と吸収要素５０とが近接しすぎると、吸収要素５０の厚みとコシによりおむつ背側端部と身体表面との間に隙間が生じやすいため、１０ｍｍ以上とすることが好ましい。
【００５５】
腹側エンドフラップ部ＥＦ及び背側エンドフラップ部ＥＦの前後方向長さは、おむつ全体の前後方向長さＬの５〜２０％程度とするのが好ましく、乳幼児用おむつにおいては、１０〜６０ｍｍ、特に２０〜５０ｍｍとするのが適当である。
【００５６】
（背側伸縮ウエストシート）
図示形態では、両ファスニングテープ１３間に、幅方向に弾性伸縮する帯状の背側伸縮ウエストシート７０が設けられ、おむつ背側部におけるフィット性を向上させている。背側伸縮ウエストシート７０の両端部は両ファスニングテープ１３の取り付け部分と重なる部位まで延在されているのが好ましいが、幅方向中央側に離間していても良い。背側伸縮ウエストシート７０の前後方向寸法は、ファスニングテープ１３の取り付け部分の前後方向寸法と概ね同じにするのが適当であるが、±２０％程度の寸法差はあってもよい。また、図示のように背側伸縮ウエストシート７０が背側エンドフラップ部ＥＦと吸収要素５０の境界線と重なるように配置されていると、吸収要素５０の背側端部がしっかりと体に押し当てられるため、好ましい。背側伸縮ウエストシート７０は、ゴムシート等のシート状弾性部材を用いても良いが、通気性の観点から不織布や紙を用いるのが好ましい。この場合、伸縮不織布のような通気性を有するシート状弾性部材を用いることもできるが、図５に示すように、二枚の不織布等のシート基材７１をホットメルト接着剤等の接着剤により張り合わせるとともに、両シート基材７１間に細長状（糸状又は紐状等）等の弾性伸縮部材７２を幅方向に沿って伸長した状態で固定したものが好適に用いられる。この場合におけるシート基材７１としては、外装バックシート１２と同様のものを用いることができる。弾性伸縮部材７２の伸長率は１５０〜２５０％程度であるのが好ましい。また、弾性伸縮部材７２として細長状（糸状又は紐状等）のものを用いる場合、太さ４２０〜１１２０ｄｔｅｘのものを３〜１０ｍｍの間隔７２ｄで５〜１５本程度設けるのが好ましい。
【００５７】
ウエストシート７０に用いる少なくとも一方のシート基材７１として、非高吸水性繊維に高吸水性繊維を混合した不織布を用いると、汗を吸収保持することができるため好ましい。特に、バックシート側に位置するシート基材７１により多くの高吸収性繊維を混合した不織布を用いると、肌とおむつ表面にある水分を肌から遠い位置にある高吸収性繊維で強固に保持することができるため好ましい。高吸水性繊維のみを用いると、吸水した高吸収性繊維が膨張してばらけた際にトップシートを介して肌に付着し易くなるおそれや、トップシートが裏側のシートに対してズレ動き易くなり、装着感を悪化させるおそれもあるが、上述のように、高吸水性繊維集合体を高吸水性繊維及び非高吸水性繊維を混合した不織布とすると、高吸水性繊維が吸水しても非高吸水性繊維との絡まり合いによって保持されるため、そのような問題点は発生し難くなる。高吸水性繊維は、公知の高吸水性樹脂（ＳＡＰ）を繊維の形態としたもの（高吸収性繊維、あるいは超吸収性繊維ともいわれ、市販のものとしては東洋紡株式会社製のランシール（登録商標）Ｆを例示することができる）を意味する。高吸水性繊維の繊維長は特に限定されず、短繊維であっても長繊維（連続繊維）であっても良い。高吸水性繊維を混合した不織布における繊維間の結合は、繊維の絡み合いによるものの他、繊維交差点の溶着によるものや、接着剤により接着するもの等、適宜採用することができる。非高吸水性繊維としては、通常の不織布に用いられる短繊維又は長繊維とすることができ、特に親水性繊維を用いるか親水化剤を塗布したものを用いると好ましい。繊維の具体例は外装バックシート１２やトップシート３０の項で述べたものを用いることができる。
【００５８】
ウエストシート７０は、たとえば基材不織布シート７１，７１間に伸縮部材７２、７２…を伸長状態で配置し、少なくとも一方の基材不織布シート７１，７１の端部への熱溶着により前記伸縮部材を切断し、その伸縮部材を収縮させたものである。
【００５９】
基材不織布シート７１，７１間の接合や、基材不織布シート７１に対する伸縮部材の固定のための手段は溶着を用いることもできるが、ホットメルト接着剤を好適に用いることができる。ホットメルト接着剤の塗布パターンとしては、一面に連続的に塗布するスロット塗布や、らせん状のスパイラル塗布、細い糸状に塗布しながら左右方向に空気で振動させるカーテン塗布などを用いることができるが、ホットメルト接着剤は通気性を低下させる要素であるため、塗布パターンはより塗布面積の少ないものが好ましく、従ってスロット塗布よりはカーテン塗布、カーテン塗布よりはスパイラル塗布が好ましい。基材不織布シート７１，７１間の接合は溶着により、基材不織布シート７１に対する伸縮部材の固定はホットメルト接着剤により行うこともできる。
【００６０】
また、図示のように弾性伸縮部材７２の一部が吸収要素５０を横断するように配置すると、吸収要素５０のフィット性が向上するため好ましいが、この場合は、弾性伸縮部材７２が吸収要素５０と重なる部分の一部又は全部を、切断等の手段により収縮力が働かないようにすると、吸収要素５０の背側端部が幅方向に縮まないため、フィット性がさらに向上する。
【００６１】
なお、弾性伸縮部材７２は、シートの長手方向（おむつの幅方向）にシート基材７１の全長にわたって固定されていてもよいが、おむつ本体への取り付け時の縮みやめくれ防止のため、シートの前後方向（おむつの幅方向）端部の５〜２０ｍｍ程度の範囲においては、収縮力が働かないように、または弾性伸縮部材７２が存在しないようにするとよい。
【００６２】
背側伸縮ウエストシート７０は、図示形態では、液不透過性シート１１の幅方向両側ではギャザーシート６２と外装バックシート１２との間に挟まれ、且つ液不透過性シート１１と重なる部位では、液不透過性シート１１と吸収要素５０との間に挟まれるように設けられているが、液不透過性シート１１と外装バックシート１２との間に設けても良いし、外装バックシート１２の外面に設けても良く、またトップシート３０と吸収要素５０との間に設けてもよい。また、背側伸縮ウエストシート７０はトップシート３０の上に設けても良く、この場合、液不透過性シート１１の幅方向両側ではギャザーシート６２の上に設けても良い。また、外装バックシート１２を複数枚のシート基材を重ねて形成する場合には、背側伸縮ウエストシート７０全体を、外装バックシート１２のシート基材間に設けても良い。
【００６３】
（本発明の具体例）
さて、本発明は、使用面側に位置する使用面側シートの構造に特徴を有する。以下、代表的な実施の形態を示してさらに説明する。
【００６４】
＜第１の実施の形態＞
本発明の第１の実施の形態は、図５〜図９に示されている。
すなわち、使用面側に位置する繊維集合体（たとえば不織布）からなる第１シートと、この第１シートと対向し繊維集合体からなる第２シートとを有する使用面側シートを通る、体液を吸収性要素で吸収する吸収性物品に係るものである。
吸収性物品として、テープタイプ使い捨ておむつにおいては、図示のように、使用面側に位置する繊維集合体（たとえば不織布）からなる透液性トップシート３０（第１シート）と、この透液性トップシート３０（第１シートに相当する。）と対向し繊維集合体（たとえば不織布）からなる中間シート４０（セカンドシート；第２シートに相当する。）とを有する使用面側シートの構造に特徴を有する。
【００６５】
より具体的には、中間シート４０の製品の前後方向両端の少なくとも一方の端部に、横方向に沿うスリット４１，４１…の開口４２，４２…が分散状態で多数形成され、中間シート４０の製品の前後方向中間部はスリットが形成されておらず、トップシート３０は、中間シート４０と、適宜形状（図９の例では平面円形）の散在する接合部Ｐによって接合されているものである。この接合部Ｐは、加熱を伴うエンボス加工や超音波溶着等のように素材の溶着により接合する手段を用いて形成する他、ホットメルト接着剤等の接着剤により形成することができる。
また、トップシート３０は、着用者の肌に当接する面が柔軟で、肌に与える刺激が少ないという表面特性の観点から、接合部Ｐ，Ｐ…をつなぐ部分が使用面側に隆起する隆起部３０Ｂを有するのが望ましい。
【００６６】
かかる使用面側シートは、たとえば図６に示す加工によって製造できる。
すなわち、周面に凸部４４ａを有する凸ロール４４と、この凸ロール４４に対向し、凸部４４ａに対応する凹部４５ａを有する凹ロール４５と、この凹ロール４５に対向する重合ロール４６とを有する設備によって、
（１）前記凸ロール４４と前記凹ロール４５との間に第１シート素材３０Ａが通され、第１シート素材３０Ａに、凸部４４ａが凹部４５ａ側に入り込むことにより、隆起部３０Ｂ（突部）が形成された第１素材シート３０Ｂを得て、
（２）この隆起部３０Ｂ形成段階より後段階で、素材の幅方向に沿うスリット４１の形成領域がシート長さ方向に間隔を置いて形成された第２シート素材４０Ａが、第１シート素材３０Ａと、凹ロール４５外表面に形成された、図示しない、熱融着小突起により熱圧着され、接合部Ｐ，Ｐ…によって接合される。
ここで、第１シート素材３０Ａの張力は、小さい状態で上記加工が行われる。
【００６７】
ここで、第１シート（トップシート）３０は、図６に示すように、スリット加工ロール４７Ａ，４７Ｂにより素材の幅方向に沿う、図５に例示するスリット４１の形成領域がシート長さ方向に間隔を置いて形成された第２シート素材４０Ａは、ニップロール４８，４９間にドロー差が加えられ、伸長されることにより、図７に示すように、スリット４１，４１…が開口し、開口４２，４２…が形成される。
【００６８】
そして、図８に示すように、スリット４１，４１…が開口し、開口４２，４２…が形成されることにより、第２シート素材４０Ａは長手方向に伸長することになる。この伸長状態で、第２シート素材４０Ａが、第１シート素材３０Ａと、凹ロール４５外表面に形成された、熱融着小突起により熱圧着され、接合部Ｐ，Ｐ…によって接合される。
かくして、第２シート素材４０Ａが、元の素材状態から伸長した状態になることは、製品化状態での第１シート３０Ｂの必要長さに対して、第２シート素材４０Ａとしては伸長後の長さでよいことになるから、必要な第２シート素材４０Ａの長さが、相対的に短くなることを意味することになり、資材コストの低減を図ることができる。
【００６９】
ところで、スリット４１及び開口４２の形成条件について何ら限定されるものではないが、次の条件であると好ましい。
【００７０】
１）トップシート（第１シート）３０は不織布（エアスルー、スパンボンド、ポイントボンドなど）とし、目付けは、１５〜６０ｇ／ｍ2とする。より好ましくは、２０〜３０ｇ／ｍ2とする。  
２）セカンドシート（第２シート）４０は不織布（エアスルー、スパンボンド、ポイントボンドなど）とし、目付けは、１５〜６０ｇ／ｍ2とする。より好ましくは、３０〜４０ｇ／ｍ2とする。
３）トップシートとセカンドシートは、平坦シートでもよいが、先の実施の形態で示すように、エンボス加工で熱接着され、凸凹を形成する。
４）セカンドシート（第２シート）４０のみにスリットし、操業中のＭＤ方向の力でスリット４１を開孔させる。操業中でなく、別工程でも開口４２の形成は可能である。
５）ス図５に示すリット４１の形成範囲Ｚは、おむつの製品長さを１００％とした場合に、両端から１０〜５０％とし、より好ましくは、２０〜３５％とする。    
６）スリット１つの長さＬ０は、２〜１５ｍｍとし、より好ましくは、５〜１０ｍｍとする。
７）スリットが開孔した後の孔の長さＬは、１〜１５ｍｍとし、より好ましくは、２〜６ｍｍとする。  
８）  スリットとスリットの間隔（ＣＤ方向）ｄは、３〜１５ｍｍとし、より好ましくは、５〜１０ｍｍとする。              
９）  スリットとスリットの間隔（ＭＤ方向）Ｑは、３〜１５ｍｍとし、より好ましくは、５〜１０ｍｍとする。              
１０）スリット４１、開口４２、接合部Ｐの配置形状は、千鳥模様や、行列状などが好ましい。接合部は、図１２に示す形状及び配置でもよい。適宜、選択できる。
１１）開口４２は、図１０に示すように、製品の長手方向の一方側端部でもよい。図１１に示すように、製品の長手方向端部で変えることもできる。
１２）接合部Ｐの形状及び配置は、図１２の例であってもよい。
【００７１】
本発明又はその実施の形態における、使い捨ておむつでの、作用効果を図１３を参照しながら説明すると、繊維集合体からなる第１シート（トップシート）３０と、この第１シート（トップシート）３０と対向し繊維集合体からなる第２シート（中間シート）４０とを有すると、これらの使用面側シートを通して、体液を吸収性要素５０に移行させ、そこで吸収体５６吸収するようなる。
すなわち、第１シート（トップシート）３０に受け入れた体液を、第２シート（中間シート）４０を介して、素早く吸収体５６に移行させて吸収させる性能を発揮する。
【００７２】
第２シート（中間シート）４０の製品の前後方向両端の少なくとも一方の端部に、横方向に沿うスリット４１の開口４２が分散状態で多数形成されている。
その結果、図１３に概略を示すように、第２シート（中間シート）４０においては、粘性の高い体液であっても、第２シートの開口４２を通すことができるので、性状の異なる多様な体液の吸収が可能となる。たとえば、吸収性物品が使い捨ておむつであるとき、水様便及び軟便（以下「水様便等」という。）Ｓが開口４２を透過でき、水溶便等Ｓの水分を吸収要素側５０に移行させ、その固形分については吸収要素の表面部分に留めるようにでき、もって、水様便等Ｓがあった場合においても、その端部側からの漏れを防止できる。
【００７３】
上記例からの推測が働くように、図１４に示す横長孔スリット４１Ａでもよい。したがって、本発明にいう「スリット」は、この種の横方向に沿う「横長孔」も含むものである。
【００７４】
本発明の吸収性物品として、生理用ナプキンなどにおいても適用できるが、使い捨ておむつであるときに、本発明の利点が顕著に表われる。
【符号の説明】
【００７５】
１１…液不透過性シート、１３…ファスニングテープ、３０…トップシート（第１シート）、３０Ａ…第１シート素材、４０…中間シート（第２シート）、４０Ａ…第２シート素材、４１…スリット、４２…開口、５０…吸収要素、５６…吸収体、Ｐ，ＰＡ…接合部。
【図１】
2015177901.tif 000003
【図２】
2015177901.tif 000004
【図３】
2015177901.tif 000005
【図４】
2015177901.tif 000006
【図５】
2015177901.tif 000007
【図６】
2015177901.tif 000008
【図７】
2015177901.tif 000009
【図８】
2015177901.tif 000010
【図９】
2015177901.tif 000011
【図１０】
2015177901.tif 000012
【図１１】
2015177901.tif 000013
【図１２】
2015177901.tif 000014
【図１３】
2015177901.tif 000015
【図１４】
2015177901.tif 000016